(57)【要約】【課題】  本発明は、簡易な構成で、電源投入時でも受信した映像信号をすばやく表示することができる映像信号出力装置を提供することを目的とする。【解決手段】  本発明の映像信号出力装置は、操作入力手段による電源投入があってから、映像信号検出手段で最初に検出された映像信号を出力するように出力切り替え手段を制御する。【選択図】  図１
2005341322.tif 000002
【特許請求の範囲】
【請求項１】
装置に対して、電源投入のユーザ操作を入力するための操作入力手段と、
映像信号を受信する複数の受信手段と、
前記複数の受信手段により受信された複数の映像信号に対して所定の信号処理を行う複数の信号処理手段と、
前記複数の信号処理手段からの映像信号のいずれを出力させるかを切り替える出力切り替え手段と、
前記複数の信号処理手段から前記映像信号が出力されたか否かを検出する映像信号検出手段と、
前記操作入力部，前記映像信号検出手段及び前記出力切り替え手段を制御する制御手段とを備え、
前記制御手段を、前記操作入力手段による前記電源投入があってから、前記映像信号検出手段で最初に検出された前記映像信号を出力するように前記出力切り替え手段を制御するように構成したことを特徴とする映像信号出力装置。
【請求項２】
装置に対して、電源投入のユーザ操作を入力するための操作入力手段と、
映像信号を受信する第1及び第2の受信手段と、
前記第1及び第2の受信手段のうち、前記第1の受信手段で受信した前記映像信号に対して所定の信号処理を行う第1の信号処理手段と、
前記第2の受信手段で受信した前記映像信号を記録媒体に記録若しくは再生する第2の信号処理手段と、
前記第1及び前記第2の信号処理手段からの映像信号のいずれを出力させるかを切り替える出力切り替え手段と、
前記複数の信号処理手段から前記映像信号が出力されたか否かを検出する映像信号検出手段と、
前記操作入力部，前記映像信号検出手段及び前記出力切り替え手段を制御する制御手段とを備え、
前記制御手段を、前記操作入力手段による前記電源投入があってから、前記映像信号検出手段で最初に検出された前記映像信号を出力するように前記出力切り替え手段を制御するように構成したことを特徴とする映像信号出力装置。
【請求項３】
前記制御手段を、前記第1の信号処理手段からの前記映像信号を優先して出力するように前記出力切り替え手段を制御するように構成したことを特徴とする請求項２記載の映像信号出力装置。
【請求項４】
前記操作入力手段は、ユーザによる前記映像信号の選択を行うためのものであって、
前記第1の信号処理手段は、第1の画質改善手段を含み、
前記第2の信号処理手段は、前記第1の画質改善手段より高画質な第2の画質改善手段を含み、
前記制御部を、
前記操作入力手段による前記電源投入があった場合には、前記第1の信号処理手段からの前記映像信号を優先して出力し、
前記電源投入後、前記操作入力手段により前記映像信号が選択され、この選択に対応した前記映像信号を出力する場合には、前記第2の信号処理手段からの前記映像信号を優先して出力するように前記第1の信号処理手段及び前記第2の信号処理手段，前記出力切り替え手段を制御するように構成したことを特徴とする請求項２記載の映像信号出力装置。
【請求項５】
前記操作入力手段は、ユーザによる前記映像信号の録画指示を行うためのものであって、
前記ユーザに対するメッセージ画面を出力するメッセージ画面発生手段を備え、
前記制御部を、前記第1の信号処理手段からの前記映像信号を出力中に、前記操作入力手段からの前記録画指示があった場合であって、前記第2の信号処理手段による前記記録媒体への記録が可能でない場合に、前記メッセージ画面発生手段からの前記メッセージ画面を出力するように前記メッセージ画面発生手段を制御するように構成したことを特徴とする請求項２記載の映像信号出力装置。
【請求項６】
前記信号処理手段毎に、前記映像信号検出手段を設けたことを特徴する請求項１乃至５のいずれか１項記載の映像信号出力装置。
【発明の詳細な説明】
【技術分野】
【０００１】
本発明は、映像信号を出力する映像信号出力装置に関し、特に映像信号の受信部が複数ある映像信号出力装置に関する。
【背景技術】
【０００２】
従来、2系統のチューナを備え、デジタル放送受信装置の電源投入時およびチャンネル切換時において、選択されたチャンネルに対応するリアルタイムな映像信号の表示が可能になるまでの間、映像信号を表示するために、ユーザが選択したチャンネルとは無関係に、バックグラウンドで一方のチューナで各チャンネルを順次受信し、各チャンネルに対応する映像信号をメモリに記憶させるという技術が知られている。
【０００３】
また、テレビとVTRとを一体にした装置が知られている。
【特許文献１】特開2002-112138号公報
【発明の開示】
【発明が解決しようとする課題】
【０００４】
しかしながら、従来の装置において、選択されたチャンネルに対応するリアルタイムな映像信号の表示が可能になるまでの間、映像信号を表示することができるものの、該映像信号はメモリに記憶しておいたものであるため、表示された際にユーザに対して不自然な感覚を与えてしまうとともに、多くのメモリを準備する必要があるという問題点があった。
【０００５】
本発明は、簡易な構成で、電源投入時でも受信した映像信号をすばやく表示することができる映像信号出力装置を提供することを目的とする。
【課題を解決するための手段】
【０００６】
上記目的を達成するために、本発明の映像信号出力装置は、装置に対して、電源投入のユーザ操作を入力するための操作入力手段と、映像信号を受信する複数の受信手段と、前記複数の受信手段により受信された複数の映像信号に対して所定の信号処理を行う複数の信号処理手段と、前記複数の信号処理手段からの映像信号のいずれを出力させるかを切り替える出力切り替え手段と、前記複数の信号処理手段から前記映像信号が出力されたか否かを検出する映像信号検出手段と、前記操作入力部，前記映像信号検出手段及び前記出力切り替え手段を制御する制御手段とを備え、前記制御手段を、前記操作入力手段による前記電源投入があってから、前記映像信号検出手段で最初に検出された前記映像信号を出力するように前記出力切り替え手段を制御するように構成したことを特徴とする。
【０００７】
そして、複数の映像信号のうち、電源投入があってから最初に検出された映像信号を出力できるので、電源投入時でも映像信号をすばやく表示することができる。
【０００８】
また、装置に対して、電源投入のユーザ操作を入力するための操作入力手段と、映像信号を受信する第1及び第2の受信手段と、前記第1及び第2の受信手段のうち、前記第1の受信手段で受信した前記映像信号に対して所定の信号処理を行う第1の信号処理手段と、前記第2の受信手段で受信した前記映像信号を記録媒体に記録若しくは再生する第2の信号処理手段と、前記第1及び前記第2の信号処理手段からの映像信号のいずれを出力させるかを切り替える出力切り替え手段と、前記複数の信号処理手段から前記映像信号が出力されたか否かを検出する映像信号検出手段と、前記操作入力部，前記映像信号検出手段及び前記出力切り替え手段を制御する制御手段とを備え、前記制御手段を、前記操作入力手段による前記電源投入があってから、前記映像信号検出手段で最初に検出された前記映像信号を出力するように前記出力切り替え手段を制御するように構成したことを特徴とする。
【０００９】
また、前記制御手段を、前記第1の信号処理手段からの前記映像信号を優先して出力するように前記出力切り替え手段を制御するように構成したことを特徴とする。
【００１０】
また、前記操作入力手段は、ユーザによる前記映像信号の選択を行うためのものであって、前記第1の信号処理手段は、第1の画質改善手段を含み、前記第2の信号処理手段は、前記第1の画質改善手段より高画質な第2の画質改善手段を含み、前記制御部を、前記操作入力手段による前記電源投入があった場合には、前記第1の信号処理手段からの前記映像信号を優先して出力し、前記電源投入後、前記操作入力手段により前記映像信号が選択され、この選択に対応した前記映像信号を出力する場合には、前記第2の信号処理手段からの前記映像信号を優先して出力するように前記第1の信号処理手段及び前記第2の信号処理手段，前記出力切り替え手段を制御するように構成したことを特徴とする。
【００１１】
そして、電源投入時は画質よりも最も早く起動する信号処理手段から出力し、電源投入後のチャンネル切り替え時は、高画質の方を選択し出力するので、電源投入時のすばやいビデオ信号の表示と、チャンネル切り替え時の高画質出力の両方を達成できる。
【００１２】
また、前記操作入力手段は、ユーザによる前記映像信号の録画指示を行うためのものであって、前記ユーザに対するメッセージ画面を出力するメッセージ画面発生手段を備え、  前記制御部を、前記第1の信号処理手段からの前記映像信号を出力中に、前記操作入力手段からの前記録画指示があった場合であって、前記第2の信号処理手段による前記記録媒体への記録が可能でない場合に、前記メッセージ画面発生手段からの前記メッセージ画面を出力するように前記メッセージ画面発生手段を制御するように構成したことを特徴とする。
【００１３】
そして、電源投入直後の視聴中の映像信号に対する録画要求に対して、禁止時間帯にメッセージを表示することによって、誤操作の防止などが可能となる。
【００１４】
また、前記信号処理手段毎に、前記映像信号検出手段を設けたことを特徴する。
【発明の効果】
【００１５】
本発明によれば、簡易な構成で、電源投入時でも受信した映像信号をすばやく表示することができる。
【発明を実施するための最良の形態】
【００１６】
以下、図面を参照して本発明の実施の形態を説明する。
【００１７】
図１は、本発明の一実施の形態による映像信号出力装置の概略構成図を示す。図１に示す映像信号出力装置は、例えば、ＤＶＤレコーダ内蔵ＴＶ（以下、ＴＶコンボと記す）であり、選局された番組(本番組)の信号をＤＶＤに記録したり、本番組の記録中に裏番組をTVで視聴したりすることが可能である。
【００１８】
図１に示すように、映像信号出力装置1は、アンテナ2によって受信された映像信号を受けるアンテナ入力端子3と、電源投入やチャンネル選局などのユーザ操作を受ける操作入力部4と、ＴＶ回路からなる第１の回路部5とＤＶＤ回路からなる第２の回路部7と、第１の回路部5若しくは第２の回路部7から出力される映像信号を選択する表示信号切替え部8と、表示信号切替え部8で選択された映像信号を表示する画像表示部11を備える。
【００１９】
なお、第１の回路部5は、一般的なTVで構成されており、第２の回路部7は、一般的なＤＶＤレコーダで構成されている。
【００２０】
更に、操作入力部4から入力されるユーザ操作によって、第１の回路部5と第２の回路部7と表示信号切替え部8を制御する制御部6を備える。
【００２１】
第１の回路部5は、受信した映像信号から所定のチャンネルを選局する第１の受信部5aと、映像信号に対してA/D変換等所定の処理を行う第１の信号処理部5bと、その映像信号が第１の信号処理部5bから出力されたかどうかを検出する第１の信号検出部5cを備える。なお、第１の信号処理部5bは画質を改善させる第１の画質改善回路5baとして、例えば２次元ＹＣ分離回路を備える。
【００２２】
第２の回路部7は、受信した信号から所定のチャンネルを選局する第２の受信部7aと、映像信号に対してA/D変換等所定の処理を行う/記録媒体Dに映像信号を記録若しくは再生する第２の信号処理部／録画再生制御部7bと、ビデオ信号が第２の信号処理部／録画再生制御部7bから出力されたかどうかを検出する第２の信号検出部7cを備える。なお、第２の信号処理部7bは第１の画質改善回路5baより高画質に改善する第２の画質改善回路7baとして、例えば３次元ＹＣ分離回路を備える。なお、第１の信号検出部5c，第２の信号検出部7cを備えるものとして説明したが、これらは1つでもよく、その場合は、1つの信号検出部で、第１の信号処理部5b，第２の信号処理部／録画再生制御部7bからビデオ信号が出力されたか否かを所定時間毎に交互にチェックすることで可能となる。
【００２３】
また、操作入力部4から入力されるユーザ操作に対して、受付状態を知らせるための画面を生成する画面発生部10と、画面発生部10で生成された画面を映像信号と合成して出力する画面合成部9を備える。
【００２４】
次に、映像信号出力装置の出画の際の動作について、図１と、図２のタイムチャート，図５のフローチャートを参照しながら説明する。
【００２５】
図２は、本発明に係る映像信号出力装置の特徴的な動作、すなわち２つの受信部（または、３個以上の受信部）を搭載したことによる機能として、電源投入後から放送を受信しこれを表示する機能および録画機能等について説明する。なお、図２は、第２の信号処理部／録画再生制御部7bが第１の信号処理部5bよりイニシャルライズ完了までにかかる時間が長い場合を示す。また、図５は、制御部6の制御の概要を示すフローチャートである。
【００２６】
まず、図２において、ユーザが映像信号出力装置1の電源投入操作をすると、操作入力部4から操作信号が入力されて、制御部6に入る。制御部6は、ユーザ設定が有るか否かをチェック(図５のS1)し、ユーザ設定があればこれにしたがう(図５のS2)。ユーザ設定がなければ速やかに画像表示部11にユーザが選局したチャンネルの映像を表示すべく、第１の回路部5と第２の回路部7のイニシャライズ動作(例えば、両回路部に残っているビデオ信号のキャンセル，ディスクドライブ部7dの記録若しくは再生のための準備等)を行う。なお、ユーザ設定については後述する。イニシャライズが終わると、第１の信号処理部5bと第２の信号処理部／録画再生制御部7bから、それぞれ選局されているチャンネルのビデオ信号が出力される。このビデオ信号の有無は第１および第２の信号検出部5c，7cで検出されて、その情報は制御部6に入力される。
【００２７】
制御部6は、例えば、第１および第２の信号検出部5c，7cでのビデオ信号の検出の結果、第１の信号検出部5cの方で第２の信号検出部7cよりも早くビデオ信号が検出された場合(図２の場合，図５のS3)、表示信号切替え部8で第１の回路部5からのビデオ信号が出力されるようにセットし、これを画像表示部11に出力する(図３のS4)。反対に、第２の信号検出部7cの方で第１の信号検出部5cよりも早くビデオ信号が検出された場合(図５のS3)、表示信号切替え部8で第２の回路部7からのビデオ信号が出力されるようにセットし、これを画像表示部11に出力する(図３のS5)。
【００２８】
なお、本映像信号出力装置において、図２にあるように、通常画質の第１の画質改善回路（２次元ＹＣ分離回路）5baを備える第１の回路部5からビデオ信号が出力されている時に、操作入力部4でチャンネル切替え操作が行なわれた場合、制御部6は、第１および第２の信号検出部5c，7cで両方からビデオ信号が出力されているかチェックし、両方からの出力が検出できれば、表示信号切替え部8によって、高画質の第２の画質改善回路（３次元ＹＣ分離回路）7baを備える第２の回路部7からのビデオ信号を画像表示部11に出力する。一方からのビデオ信号しか検出できない場合は、検出された側のビデオ信号を出力する。
【００２９】
これにより、電源投入時は画質よりも最も早く起動する回路部(この場合は、第1の回路部5)から出力し、電源投入後のチャンネル切り替え時は、高画質の方を選択(この場合は、第2の回路部7)し出力するので、電源投入時のすばやいビデオ信号の表示と、チャンネル切り替え時の高画質出力の両方を達成できる。
【００３０】
また、別のビデオ信号の出画の選択方法として、第１および第２の信号検出部5c，7cの判定によらず、初期設定メニュー等で出画の優先度をユーザ設定し(図５のS1)、それにしたがって出力してもよい(図５のS2)。これは、図３のような初期設定メニュー画面で「電源投入時ＴＶ優先」M1を設定すると、電源投入後は表示信号切替え部8で第１の回路部5からのビデオ信号を出力するようにセットし、これを画像表示部11に出力する。なお、図３の初期設定メニュー画面は、画面発生部10にあらかじめ作成，保持しておき、これを画面合成部9に出力する。画面合成部9は第１の回路部5からのビデオ信号とメニュー画面とを合成して画像表示部11に出力する。
【００３１】
なお、第１の回路部5において、イニシャライズ動作が完了し第１の回路部5からビデオ信号が画像表示部11に出画され、ユーザがこれを視聴中に、ユーザが操作入力部4を操作して、該ビデオ信号を記録媒体D(例えば、DVD)に記録指示を行った場合(図５のS6)、第２の回路部7のイニシャライズ動作が完了するまでは録画動作はできない(図２の"録画再生不可"の期間に相当)。この場合、制御部6は、該期間録画ができない旨のメッセージ画面Ｍ２(図４)を画面発生部10で作成し、これを画面合成部9に出力する(図５のS8)。これにより、画面合成部9は、第１の回路部5からビデオ信号とメッセージ画面Ｍ２とを合成して画像表示部11に出力し、これにより動作状態をユーザに知らせることができる。そして、第２の回路部7のイニシャライズ動作の完了後は、第２の受信部7aで選局された番組のビデオ信号をディスクドライブ部7dに出力し、記録媒体Dに記録する(図５のS7)。更に、第２の受信部7aによる番組の記録中に、新たな選局(裏番組に相当)が行なわれた場合は、制御部6は、表示信号切替え部8に対して第１の受信部5aで選局されたビデオ信号(裏番組)を画像表示部11に出力するように指示を行う。
【００３２】
そして、上記実施の形態によれば、ユーザからの電源投入操作後に、映像信号出力装置に内蔵しているビデオ信号を出力する複数の回路のうち、最も起動の早いものを選択して出画することによって、出画までの時間を短縮でき、ユーザに対して待ち時間などの不快感を与えないようにすることが可能となる。また、電源投入直後の視聴中の本番組録画要求に対して、禁止時間帯にメッセージを表示することによって、誤操作の防止などが可能となる。
【００３３】
なお、上記における映像信号出力装置では、ＴＶコンボを想定し、第１の回路部5(TVに相当)と第２の回路部7(DVDレコーダに相当)の２つのシステムを内蔵していたが、２つ以上の複数のシステムでもよい。また、ビデオ信号に限るものではなく、音声信号でも同様な効果を得ることができる。
【図面の簡単な説明】
【００３４】
【図１】本発明の一実施の形態による映像信号出力装置の概略構成図。
【図２】同実施の形態に係る映像信号出力装置の動作を説明するためのタイムチャート図。
【図３】同実施の形態に係る映像信号出力装置の電源投入時の優先を示す初期設定メニュー画面例。
【図４】同実施の形態に係る映像信号出力装置の録画受付状態を示すメッセージ画面例。
【図５】同実施の形態に係る映像信号出力装置の動作を説明するためのフローチャート。
【符号の説明】
【００３５】
1  映像信号出力装置
2  アンテナ
3  アンテナ入力端子
4  操作入力部
5  第１の回路部
5a  第１の受信部
5b  第１の信号処理部
5ba  ２次元ＹＣ分離回路
5c  第１の信号検出部
6  制御部
7  第２の回路部
7a  第２の受信部
7b  第２の信号処理部／録画再生制御部
7ba  ３次元ＹＣ分離回路
7c  第２の信号検出部
7d  ディスクドライブ部
8  表示信号切替え部
9  画面合成部
10  画面発生部
11  画像表示部
D  記録媒体
【図１】
2005341322.tif 000003
【図２】
2005341322.tif 000004
【図３】
2005341322.tif 000005
【図４】
2005341322.tif 000006
【図５】
2005341322.tif 000007